(57)【要約】【課題】共同住宅における各種機能を総合的に制御盤によって管理するシステムを得る。【解決手段】各住戸に設置されたセキュリティ監視機能とインターホン通話機能とテレビモニタ機能とを備える住宅情報盤と、前記各住宅情報盤に接続されて各住戸の異常監視制御と各住戸への通話制御およびモニタ制御とを行う複合盤と、前記各住宅情報盤それぞれに配線される通話線、伝送線および映像線と、前記複合盤に接続されてインターホン通話機能とカメラ機能とを備える集合玄関機と、から構成される共同住宅警報監視システムに用いられ、前記複合盤は、前記伝送線を介して前記住宅情報盤に対して呼出信号を送出する呼出制御部と、前記集合玄関機のカメラ機能による映像信号が入力されて前記映像線への該映像信号の出力制御を行う映像制御部と、を具備している。【選択図】  図１
2004171383.tif 000002
【特許請求の範囲】
【請求項１】
各住戸に設置されたセキュリティ監視機能とインターホン通話機能とテレビモニタ機能とを備える住宅情報盤と、前記各住宅情報盤に接続されて各住戸の異常監視制御と各住戸への通話制御およびモニタ制御とを行う複合盤と、前記各住宅情報盤それぞれに配線される通話線、伝送線および映像線と、前記複合盤に接続されてインターホン通話機能とカメラ機能とを備える集合玄関機と、から構成される共同住宅警報監視システムに用いられ、
前記複合盤は、前記伝送線を介して前記住宅情報盤に対して呼出信号を送出する呼出制御部と、前記集合玄関機のカメラ機能による映像信号が入力されて前記映像線への該映像信号の出力制御を行う映像制御部と、を具備していることを特徴とする共同住宅警報監視用複合盤。
【請求項２】
複合盤は、映像制御部からの映像信号を映出するテレビモニタを盤面に備えている請求項１の共同住宅警報監視用複合盤。
【請求項３】
複合盤は、インターホン通話機能のための通話回路および送受話器を備えている請求項１の共同住宅警報監視用複合盤。
【発明の詳細な説明】
【０００１】
【産業上の利用分野】
本発明は、共同住宅における警報監視システムに用いられる複合盤に関するものである。
【０００２】
【従来の技術】
従来から、共同住宅において集合玄関に設けられた集合玄関機、管理室に設けられた管理室機、各住戸に設けられた住宅情報盤が各所に配置されて、通話制御装置および映像制御装置によって、制御線（伝送線）、通話線および映像線によってそれぞれ接続されているシステムが用いられている（例えば、特許文献１を参照）。
【０００３】
【特許文献１】
特開２０００−６９１８１号公報
【０００４】
【発明が解決しようとする課題】
上記のようなシステムでは、集合玄関機に監視カメラのような映像制御機能（モニタ機能）を付与しない場合に、映像制御装置および映像線を用いなければよく、インターホンによる通話機能およびセキュリティ監視機能を基本として、必要に応じて機器を追加して対応することができた。
【０００５】
しかし、映像制御装置と通話制御装置とが別体であることから、通話時に映像信号を出力するという制御のための配線を映像制御装置と通話制御装置との間に配設しなければならず、施工時にそのような配線をそれぞれに区別して作業することは非常に面倒であった。
【０００６】
また、管理室等において、インターホン通話機能を備えるための管理室親機に加え、音声制御装置にさらに映像制御装置を設置してモニタ制御機能を利用するためのモニタ装置を設置する場合に、別個の筐体を設置する必要があり、これらを併設することによって余計な場所を取るという不具合があった。
【０００７】
したがって、本発明は、共同住宅における各種機能を一体的に制御する警報監視複合システムとして、セキュリティ監視機能、通話制御機能およびモニタ制御機能を総合的に複合盤によって管理するシステムを得ることを目的とする。
【０００８】
【課題を解決するための手段】
本発明は、各住戸に設置されたセキュリティ監視機能とインターホン通話機能とテレビモニタ機能とを備える住宅情報盤と、前記各住宅情報盤に接続されて各住戸の異常監視制御と各住戸への通話制御およびモニタ制御とを行う複合盤と、前記各住宅情報盤それぞれに配線される通話線、伝送線および映像線と、前記複合盤に接続されてインターホン通話機能とカメラ機能とを備える集合玄関機と、から構成される共同住宅警報監視システムに用いられ、前記複合盤は、前記伝送線を介して前記住宅情報盤に対して呼出信号を送出する呼出制御部と、前記集合玄関機のカメラ機能による映像信号が入力されて前記映像線への該映像信号の出力制御を行う映像制御部と、を具備していることを特徴とするものである。
【０００９】
さらに、複合盤は、映像制御部からの映像信号を映出するモニタ画面を盤面に備えているものであり、また、複合盤は、インターホン通話機能のための通話回路および送受話器を備えているものである。
【００１０】
【発明の実施の形態】
以下、本発明を利用する実施の形態について図面を用いて説明する。図１は本発明を利用する共同住宅用警報監視複合システムのシステム系統図、図２および図３は図１に用いられる複合盤、住宅情報盤および集合玄関機についてのブロック構成図である。
【００１１】
図１において、１０は複合盤、２０は集合玄関機、３０は住宅情報盤、５０はドアホン、６１は熱式や煙式等の火災感知器、６２はガス漏れ検知器、６３は防犯スイッチ、６４は非常呼出スイッチ、６５は共用部に設けられる火災感知器、６６は共用部に設けられる防排煙機器等の制御装置、７０は映像アダプタ、Ｌ１は伝送線、Ｌ２は通話線、Ｌ３は映像線、Ｌ４はドアホン５０への通話線、Ｌ５はドアホン５０への各種機能の制御線、Ｌ６１、Ｌ６２、Ｌ６３、Ｌ６４、Ｌ６５およびＬ６６はそれぞれ信号線である。
【００１２】
複合盤１０は、インターホン設備の通話制御装置としての通話制御機能と、テレビモニタシステムを提供するためのモニタ制御機能と、自動火災報知設備の火災受信機としてのセキュリティ監視機能とを有し、共同住宅の管理室等に設置される。なお、さらに従来の技術に示される管理室機の機能も兼ねている。
【００１３】
集合玄関機２０は、共同住宅への訪問者が操作して各住戸を呼出すための装置であって、カメラ機能を備え、共同住宅の集合玄関等に設置される。
【００１４】
住宅情報盤３０は、セキュリティ監視機能に必要な、火災感知器６１、ガス漏れ検知器６２、防犯スイッチ６３、非常呼出スイッチ６４等がそれぞれ信号線Ｌ６１、Ｌ６２、Ｌ６３およびＬ６４を介して接続されて各住戸に設置されるとともに、各住宅情報盤３０は伝送線Ｌ１、通話線Ｌ２および映像線Ｌ３を介して複合盤１０に接続されている。
【００１５】
ドアホン５０は、通話線Ｌ４および制御線Ｌ５を介して住宅情報盤３０に接続されて、各住戸の玄関等に設置される。
【００１６】
火災感知器６５は、集合玄関、ホール、廊下、機械室、集会室等の共同住宅の共用部に設けられるものであり、また、制御装置６６は、地区ベル装置、防排煙装置、消火装置等の火災発生時に制御される被制御機器であり、火災感知器６５同様に共同住宅の共用部に設けられるものである。
【００１７】
映像アダプタ７０は、映像線Ｌ３へ接続および切離しを制御するために各住宅情報盤３０に対応する各位置に設置されている。
【００１８】
このような構成によって実現される各種機能について簡単に説明すると、通話制御機能において、複合盤１０が集合玄関機２０から例えば８０１号室の呼出信号を受信すると、複合盤１０は、伝送線Ｌ１を介して呼出信号を８０１号室の住宅情報盤３０に送信し、８０１号室の住宅情報盤３０から応答信号を受信して、集合玄関機２０および８０１号室の住宅情報盤３０に接続信号を送信して、通話線Ｌ２に集合玄関機２０および８０１号室の住宅情報盤３０がそれぞれ接続して、通話線Ｌ２を介して通話路を形成する。
【００１９】
また、モニタ制御機能において、上記通話制御機能の動作を利用し、接続命令を受信した例えば８０１号室の住宅情報盤３０は、映像アダプタ７０を介して映像線Ｌ３に接続して、集合玄関機２０から送信される映像信号を映像線Ｌ３から受信する信号経路を形成する。
【００２０】
また、セキュリティ監視機能について、ガス漏れ検知器６２、防犯スイッチ６３、非常呼出スイッチ６４等の動作に基づくセキュリティ信号を住宅情報盤３０から複合盤１０が受信すると、送信した住宅情報盤３０が設置されている住戸の住戸番号やセキュリティ信号の種別等を表示および警報を行う。
【００２１】
同様に、セキュリティ監視機能の一部として火災警報制御機能を備え、火災感知器６１の作動に基づき住宅情報盤３０から火災信号を複合盤１０が受信すると、送信した住宅情報盤３０が設置されている住戸番号および火災の旨の表示および警報を行うとともに、複合盤１０から住戸番号を特定した警報信号を送出し、火災発生階とその直上階の住戸に設置されている住宅情報盤３０が警報信号の住戸番号から判別して火災警報を発する。
【００２２】
つぎに、複合盤１０において、１１は呼出制御部としての監視制御部、１２は表示部、１３は操作部、１４は通話回路、１５は送受話器、１６はスピーカ、１７は映像制御部、１８はテレビモニタ、１９は受信制御部である。
【００２３】
監視制御部１１は、ＣＰＵやメモリを有し、インターホン設備と自動火災報知設備とにおける伝送制御、通話制御、モニタ制御、セキュリティ監視制御、火災監視警報制御、遠隔試験制御等を行う。
【００２４】
表示部１２は、インターホン設備と自動火災報知設備とに関係する各種表示灯と、ＬＣＤ等の表示器とを有し、監視制御部１１の制御に基づいて各種表示を行う。
【００２５】
操作部１３は、インターホン設備と自動火災報知設備とに用いられるテンキー等の各種操作スイッチを有する。
【００２６】
通話回路１４は、複合盤１０が設けられる管理室等から管理員がインターホン通話を行うものであり、送受話器１５を有する。
【００２７】
映像制御部１７は、集合玄関機２０からの映像線Ｌ３を介して、映像信号を受信し、各住宅情報盤３０への映像線Ｌ３へその映像信号を送出する接続制御を行うとともに、受信した映像信号を複合盤１０盤面のテレビモニタ１８に映出できるようになっている。そして、集合玄関機２０との間でインターホン通話する際に、映像制御部１７が受信する映像信号をテレビモニタ１８に映出させ、また、インターホン通話時でなくても、操作部１３からの操作入力による監視制御部１１からの制御信号に基づき、集合玄関機２０からの映像信号を映像制御部１７で受信して、集合玄関の状況を監視することができる。
【００２８】
そして、集合玄関機２０において、２１は制御部、２２は表示部、２３は操作部、２４は通話回路、２５は切換回路、２６はスピーカ、２７はマイク、２８は撮像回路、２９はテレビカメラである。
【００２９】
制御部２１は、詳細に示さないが、ＣＰＵやメモリを有し、伝送線Ｌ１を介して複合盤１０との間で各種伝送制御を行い、集合玄関機２０全体の制御を行う。
【００３０】
表示部２２および操作部２３は、共同住宅への来客が所望の住戸を呼出す呼出操作を行うためのものであり、詳細に示さないが、テンキーによる入力操作や呼出す部屋の番号表示が行われるようにされている。
【００３１】
通話回路２４は、集合玄関等から来客がインターホン通話を行うものであり、ハンズフリーの送受話器としてのスピーカ２６およびマイク２７を備え、通話切換回路２５を介して通話線Ｌ２に接続切換が行われる。
【００３２】
撮像回路２８は、集合玄関機２０を操作する来客の顔や姿等をテレビカメラ２９によって撮影するものであり、映像線Ｌ３を介して複合盤１０に出力される。
【００３３】
また、住宅情報盤３０において、３１は警報受信回路、３３は警報音響回路、３４は通話回路、３５は送受話器、３６は表示部、３７は操作部、３９は制御部、４０はスピーカ、４１は映像回路、４２はテレビモニタ、４３は映像切換制御回路、４４は通話切換回路である。
【００３４】
警報受信回路３１は、火災感知器６１、ガス漏れ警報機６２、防犯スイッチ６３、非常呼出スイッチ６４等が接続されて、それらからの信号入力を監視している。
【００３５】
警報音響回路３３は、各種の警報内容等の音響および音声データを記憶した図示しないメモリ、音声合成回路およびアンプ等を有するものである。
【００３６】
通話回路３４は、住戸内から居住者がインターホン通話を行うものであり、送受話器３５を備えるとともに、通話切換回路４４を介して通話線Ｌ２またはＬ４に接続が行われる。
【００３７】
操作部３７は、詳細に示さないが、管理室（複合盤１０）を呼出す呼出スイッチや集合玄関ドア解錠スイッチ等の各種スイッチを有する。
【００３８】
制御部３９は、詳細に示さないが、ＣＰＵやメモリを有し、伝送線Ｌ１を介して複合盤１０との間で各種伝送制御を行い、住宅情報盤３０全体の監視制御を行う。
【００３９】
映像回路４１は、映像線Ｌ３に送出される映像信号をテレビモニタ４２に映出するものであり、住居内の居住者が集合玄関等に来訪した来客の顔や姿等を確認する。そして、映像回路４１の映像線Ｌ３への接続は、映像線Ｌ３の所定位置にそれぞれ設けられている映像アダプタ７０への切換制御を行う映像切換制御回路４３からの切換出力による。
【００４０】
また、図３のドアホン５０において、５１は呼出スイッチ、５２はマイク、５３はスピーカ、５４は通電表示灯である。
【００４１】
呼出スイッチ５１は、詳細に示さないが、各住戸の玄関に設けられるドアホン５０から住戸内の住宅情報盤３０を呼び出すためのスイッチである。
【００４２】
マイク５２およびスピーカ５３は、住戸内の住宅情報盤３０と通話するときに用いられる。
【００４３】
つぎに、上記構成による実施の形態の動作について、説明する。
【００４４】
図４は、図１における複合盤１０に関する動作を概略的に示したフローチャートであり、また、図５は、図１における住宅情報盤に関する動作を概略的に示したフローチャートである。
【００４５】
この実施の形態では、集合玄関機２０と各住宅情報盤３０との間、複合盤１０と各住宅情報盤３０との間、および、集合玄関機２０と複合盤１０との間における通話制御が行われる。以下、そのうちで、集合玄関機２０からいずれかの住宅情報盤３０を呼び出して通話する場合として説明する。
【００４６】
例えば、３０１号室を訪問する来客が集合玄関に設けられている集合玄関機２０の図示しないテンキーによって「３０１」を入力し、図示しない呼出スイッチを操作すると、集合玄関機２０の制御部２１は、集合玄関機２０からの３０１号室の呼出しに関する呼出信号を、伝送線Ｌ１を介して複合盤１０に送信する。また、集合玄関機２０の制御部２１は、テレビカメラ２９をオンして来客の撮影を開始し、その映像を映像信号として、映像線Ｌ３を介して複合盤１０に送出する。なお、制御部２１によるテレビカメラ２９のオンは、複合盤１０からの起動信号等の指示に基づいてオンしてもよい。
【００４７】
複合盤１０の監視制御部１１は、呼出信号を受信すると（Ｓ１２）、集合玄関機２０から３０１号室を呼出すことを判別し、３０１号室のアドレスを付加して伝送線Ｌ１に呼出信号としての通話制御信号を送信し、また、監視制御部１１は、映像制御部１７を起動させて集合玄関機２０から受信した映像信号を映像線Ｌ３に送出する（Ｓ１３）。
【００４８】
上記通話制御信号を受信した３０１号室の住宅情報盤３０の制御部３９は、受信した通話制御信号から自己への呼出しであることを判別して（Ｓ３２）、スピーカ４０から呼出音を発生し、また、表示部３６に集合玄関からの呼出を示し、映像回路４１を起動して映像切換制御回路４３を介して映像アダプタ７０へ切換出力を行う。
【００４９】
この切換出力による映像アダプタ７０の切換接続により、映像回路４１は映像線Ｌ３に接続されて、集合玄関機２０のテレビカメラ２９が撮影した映像信号を受信して、テレビモニタ４２へ表示する（Ｓ３３）。
【００５０】
そして、３０１号室の居住者がテレビモニタ４２に映出された映像から来客の顔等を確認し、送受話器３５が持ち上げられると、制御部３９は、自己アドレスを付加した伝送信号としてオフフック信号を、伝送線Ｌ１を介して複合盤１０に送信し、また、通話切換回路４４に切換出力を行い、通話回路３４を通話線Ｌ２に接続させる（Ｓ３３）。
【００５１】
伝送信号としてオフフック信号を受信した複合盤１０の監視制御部１１は、集合玄関機２０に上記と同様の通話制御信号を送信し、集合玄関機２０の制御部２１は、通話切換回路２５に切換出力を行い、通話回路２４を通話線Ｌ２に接続させる（Ｓ１３）。これによって通話路が形成され、集合玄関機２０の前に存在する来客と、３０１号室の居住者との間でインターホン通話が行われる。
【００５２】
通話が終わり、居住者が送受話器３５を戻してオンフック状態となると、３０１号室の住宅情報盤３０の制御部３９は、自己アドレスを付加した伝送信号としてオンフック信号を、伝送線Ｌ１を介して複合盤１０に送信し、また、切換回路４４への切換出力を停止して通話回路３４を通話線Ｌ２から切離し、同様に、映像切換回路４３を介して映像アダプタ７０への切換出力を停止して、映像回路４１を映像線Ｌ３から切離し、それぞれ元の状態へ復帰する（Ｓ３３）。
【００５３】
このように、呼び出された住戸の住宅情報盤３０では、テレビモニタ４２に集合玄関機２０のテレビカメラ２９によって撮像した来客を映出して、居住者が来客を確認できるようになっているが、テレビカメラ２９によって来客の顔をアップに映し出そうとするときに来客の背丈は区々であり、テレビカメラ２９の設置位置に基づいて適切な範囲を撮影しているとは限らない。そのため、詳細に説明しないが、集合玄関機２０のテレビカメラ２９の向きを「高・中・低」や「遠・中・近」等、段階的に切換えられる可動式またはズーム式のテレビカメラを用い、各住戸の住宅情報盤３０の操作部３７にテレビカメラ２９用の操作スイッチを備えることにより、居住者が画面を見て撮像範囲を切換えることを可能とできる。
【００５４】
このとき、テレビカメラ２９を切換える操作部３７への操作入力は、制御部３９が切換入力信号を、伝送線Ｌ１を介して複合盤１０へ送信し、その切換入力信号を受信した監視制御部１１は、その切換入力信号を、伝送線Ｌ１を介して集合玄関機２０へ送信し、そして、集合玄関機２０の制御部２１がテレビカメラ２９の切換制御を行うことができる。この実施の形態を利用すれば、伝送線Ｌ１への伝送信号を用いることで、住宅情報盤３０を介する居住者の操作入力によるテレビカメラ２９の切換制御を容易に行うことができる。
【００５５】
伝送信号としてオンフック信号を受信した複合盤１０の監視制御部１１は、集合玄関機２０に通話終了信号を送信し（Ｓ１３）、集合玄関機２０は、通話切換回路２５、映像回路２８、テレビカメラ２９等をオフして元の状態に復帰する。
【００５６】
なお、その他の場合のインターホン通話も、上記と同様の通話制御およびモニタ制御がなされる。すなわち、集合玄関機２０から複合盤１０が呼出されるときに、監視制御部１１の制御によって、通話回路１４がオンされて通話線Ｌ２に接続されるとともに、集合玄関機２０のテレビカメラ２９からの映像信号は、映像制御部１７で受信され、監視制御部１１の制御によってテレビモニタ１８に映出される。
【００５７】
また、複合盤１０のモニタ制御機能として、操作部１３からの映像確認操作入力に基づいて、監視制御部１１は、伝送信号として映像呼出信号を伝送線Ｌ１に送出してテレビモニタ１８に集合玄関機２０のテレビカメラ２９からの映像信号を映出させることが可能であり、インターホン通話を伴わなくとも、集合玄関の映像を適宜確認することができる。
【００５８】
次に、この実施の形態におけるセキュリティ監視処理として、非常呼出スイッチ６４が操作された場合について説明する。
【００５９】
例えば、４０１号室で非常呼出スイッチ６４が作動すると、４０１号室の住宅情報盤３０において、警報受信回路３１が非常呼出スイッチ６４の作動信号を検出し、警報受信回路３１から制御部３９に入力され（Ｓ３１）、制御部３９は、自己のアドレスを付加した伝送信号としての非常呼出信号を、伝送線Ｌ１を介して複合盤１０に送信する（Ｓ３９）。
【００６０】
この非常呼出信号を受信した複合盤１０の監視制御部１１は、伝送線Ｌ１を介して受信した伝送信号から、４０１号室からの非常呼出信号であることを判別し（Ｓ１４）、表示部１２の図示しない非常呼出の表示灯を点灯させ、また、４０１号室から非常呼出があったことを図示しないＬＣＤに文字表示し、さらに、スピーカ１６から警報音および非常呼出の旨の音声警報を出力する（Ｓ１５）。
【００６１】
この非常呼出の旨を複合盤１０から認識した集合住宅の管理員は、インターホン機能で４０１号室を呼び出して通話によって確認するか、４０１号室に出向くか、非常事態の有無確認および必要な対処を行う。
【００６２】
その後、事態が平常化して複合盤１０の操作部１３への復旧入力により元の状態に戻す。
【００６３】
つぎに、この実施の形態における火災監視警報処理の動作について、例えば６０１号室で火災が発生した場合について説明する。
【００６４】
６０１号室の火災感知器６１が作動し、火災信号を出力すると、６０１号室の住宅情報盤３０の警報受信回路３１が火災信号を受信して（Ｓ３４）、制御部３９は、警報音響回路３３の図示しない音声合成回路を制御してスピーカ４０から「この住戸で火災感知器が作動しました」のような音声警報を発する（Ｓ３５）。
【００６５】
この住宅情報盤３０からの音声警報によって、６０１号室の居住者が住戸内を確認して、誤報または火災の初期消火ができれば住宅情報盤３０の図示しない復旧スイッチを操作して復旧操作を行えばよいが、初期消火が無理な火災の場合には住宅情報盤３０の図示しない火災確定スイッチを操作して火災確定入力を行い、制御部３９は、自己のアドレスを付加した伝送信号としての火災信号を、伝送線Ｌ１を介して複合盤１０へ送信する（Ｓ３５）。なお、６０１号室が不在等の火災確定入力がない場合でも、制御部３９は、警報受信回路３１への火災感知器６１からの火災信号の入力から所定時間（例えば２分等）の経過によって、上記のように伝送信号としての火災信号を送信する。
【００６６】
火災信号を受信した複合盤１０の監視制御部１１は、６０１号室からの火災信号であることを判別して（Ｓ１６）、表示部１２の図示しない火災の表示灯を点灯させ、また、６０１号室から火災信号があったことを図示しないＬＣＤに文字表示し、さらに、スピーカ１６から警報音および火災の旨の音声警報を出力する（Ｓ１７）。
【００６７】
また、複合盤１０の監視制御部１１は、火災の発生した６０１号室と同一階である６階の各住戸の住宅情報盤３０およびその直上階である７階の各住戸の住宅情報盤３０に火災鳴動を行わせるため、フロア単位または個々の住宅情報盤３０をアドレス指定した伝送信号としての警報制御信号を、伝送線Ｌ１を介して送信する（Ｓ１７）。同時に、廊下等の共用部に制御装置６６として地区ベル装置が設けられている場合、信号制御線Ｌ６６を介して６階および７階の制御装置６６に鳴動出力する（Ｓ１７）。
【００６８】
これによって、６０１号室を除く６階および７階の各住戸の住宅情報盤３０において、制御部３９が警報制御してスピーカ４０から「６０１号室から火災が発生しました」等の火災警報を行う（Ｓ３９）。
【００６９】
なお、この実施の形態における複合盤１０では、映像信号の入力を受付ける映像制御部１７と、受付けた映像信号を映出するテレビモニタ１８とを備えているので、集合玄関機２０のテレビカメラ２９以外に、例えば、エレベータ内の監視カメラやエレベータホールの監視カメラ、各階のフロアを監視する監視カメラなどが設けられている場合、その映像信号を映像制御部１７に入力させて、選択的にテレビモニタ１８に映出させるようにすることもできる。このとき、操作部１３に映像を切換える操作入力を可能とし、その入力を監視制御部１１が受付けて監視制御部１１が映像制御部１７に切換出力すれば、容易に画面を切換えることが可能である。このように、複合盤１０によって管理員が監視カメラの映像を確認することも可能となる。
【００７０】
以上のように、本発明は、各住戸に設置されたセキュリティ監視機能とインターホン通話機能とテレビモニタ機能とを備える住宅情報盤と、前記各住宅情報盤に接続されて各住戸の異常監視制御と各住戸への通話制御およびモニタ制御とを行う複合盤と、前記各住宅情報盤それぞれに配線される通話線、伝送線および映像線と、前記複合盤に接続されてインターホン通話機能とカメラ機能とを備える集合玄関機と、から構成される共同住宅警報監視システムに用いられ、前記複合盤は、前記伝送線を介して前記住宅情報盤に対して呼出信号を送出する呼出制御部と、前記集合玄関機のカメラ機能による映像信号が入力されて前記映像線への該映像信号の出力制御を行う映像制御部と、を具備しているものであり、管理室等へ複合盤を設置することにより、システムに必要な各種機能の制御が実現でき、共同住宅における設置場所に対してコンパクトに収納できると同時に、システムを構成する各種配線を複合盤に集中できるので、配線構造が簡素となるとともに作業も簡便となる。
【００７１】
さらに、複合盤は、映像制御部からの映像信号を映出するモニタ画面を盤面に備え、管理員が容易にモニタ画像を確認でき、また、複合盤は、インターホン通話機能のための通話回路および送受話器を備え、管理室等から用意に共同玄関や各住居とインターホン通話を行うことができる。これらのモニタ画面確認やインターホン通話の機能を、複合盤に対して包括的に搭載することによって、個別の装置を用意するよりもコンパクトで簡素となり、共同住宅へのシステム導入を簡便に行うことが可能となる。
【図面の簡単な説明】
【図１】本発明の実施の形態の一例を示すシステム系統図。
【図２】図１の複合盤および集合玄関機を示すブロック構成図。
【図３】図１の住宅情報盤を示すブロック構成図。
【図４】図１の複合盤の動作を示すフローチャート。
【図５】図１の住宅情報盤の動作を示すフローチャート。
【符号の説明】
１０    複合盤
２０    集合玄関機
３０    住宅情報盤
Ｌ１    伝送線
Ｌ２    通話線
Ｌ３    映像線
【図１】
2004171383.tif 000003
【図２】
2004171383.tif 000004
【図３】
2004171383.tif 000005
【図４】
2004171383.tif 000006
【図５】
2004171383.tif 000007